(57)【特許請求の範囲】
【請求項１】
複数本のガイドロールにより搬送されるウェブから粉塵を除去する粉塵除去装置において、
任意の隣接する２本のガイドロール間で、走行するウェブに対しパルス化された圧縮空気を噴射してこのガイドロール間でウェブを振動させることによりウェブから粉塵を該ウェブ表面に浮き上がらせるウェブ振動手段と、
前記２本のガイドロールよりも下流側に位置するガイドロール群のうちの少なくとも１つのガイドロールで前記ウェブと当該ガイドロールとが当接する当接箇所に向けて圧縮空気を噴射することにより、前記ウェブ振動手段によりウェブ表面に浮き上がらせた粉塵をウェブから分離する圧縮空気噴射手段と、
この圧縮空気噴射手段によりウェブから分離された粉塵を吸引する粉塵吸引手段と、を備えたことを特徴とする粉塵除去装置。
【請求項２】
請求項１に記載の粉塵除去装置において、
前記圧縮空気噴射手段からの圧縮空気の噴射を受けるガイドロールより上流側に位置するガイドロール群のうちのウェブ表面に当接する少なくとも１つのガイドロールが接地されたことを特徴とする粉塵除去装置。
【請求項３】
請求項１又は２に記載の粉塵除去装置において、
前記圧縮空気噴射手段と前記粉塵吸引手段との間に、前記ウェブ表面の空気層を乱流化する乱流化手段を設けたことを特徴とする粉塵除去装置。
【請求項４】
請求項１乃至３のいずれか一つに記載の粉塵除去装置において、
ウェブとウェブの継ぎ目の走行位置を検出し該継ぎ目が前記ウェブ振動手段の圧縮空気の噴射を受ける位置に到達してから前記粉塵吸引手段の吸引位置を通過するまでの間、前記ウェブ振動手段及び前記圧縮空気噴射手段の各圧縮空気の噴射を停止させるように前記ウェブ振動手段及び前記圧縮空気噴射手段を制御する噴射制御手段を備えたことを特徴とする粉塵除去装置。
【請求項５】
請求項４に記載の粉塵除去装置において、
前記噴射制御手段は、前記継ぎ目が前記ウェブ振動手段の圧縮空気の噴射を受ける位置に近づいたことを検出したときから前記ウェブ振動手段及び前記圧縮空気噴射手段の各圧縮空気の噴射圧の減圧を開始し、前記継ぎ目が前記粉塵吸引手段の吸引位置を通過したことを検出したときから徐々に前記ウェブ振動手段及び前記圧縮空気噴射手段の圧縮空気の噴射圧を回復させるように、前記ウェブ振動手段及び前記圧縮空気噴射手段を制御することを特徴とする粉塵除去装置。
【発明の詳細な説明】
【技術分野】
【０００１】
本発明は、ウェブの粉塵を除去する粉塵除去装置に関する。
【背景技術】
【０００２】
新聞紙等の大部数印刷される印刷物の多くはオフセット印刷機により印刷される。オフセット印刷では、版ロールに形成されたインク画像が、一旦、ブランケットに転写され、このブランケットに転写されたインク画像がウェブに写されることにより印刷が行われる。
【０００３】
この印刷工程において、ウェブに粉塵等の異物が存在すると、インク画像がウェブへ転写されるときに、インクがウェブに転写されるのとは逆に異物がブランケットに付着してしまい、印刷物に欠損部（ヒッキー）が生じてしまうことがある。また、ブランケットに粉塵等が堆積すると、印刷物にカスレが生じることもある。これは、粉塵等の堆積物（パイリング）には粘着性があるため当該部分のインクの剥離が完全に行われずウェブへのインクの転写が十分に実施されないことから生じるものである。
【０００４】
新聞紙等、大部数印刷する印刷物を形成する輪転機では、一旦、ヒッキーやパイリングが生じると、大量の損紙（不良印刷品）が生じてしまう。そのため、ヒッキーやパイリングが検出されたときには、その都度、ブランケットの洗浄が行われる。ブランケットの洗浄においては、洗浄布や洗浄液などを使用するため産業廃棄物が出てしまう。特に、大部数印刷する輪転機では、ブランケットの洗浄回数が多く、大量の産業廃棄物が発生してしまうので、大きな問題となっていた。
【０００５】
そこで、洗浄作業を軽減するため、ヒッキーやパイリングの原因となる粉塵を版ロールから除去する粉塵除去装置が提案されている（特許文献１参照）。
【特許文献１】特開平０９−１２３４２９号公報
【発明の開示】
【発明が解決しようとする課題】
【０００６】
この粉塵除去装置は、版ロールに空気を噴射して粉塵を除去する構成とされており、版ロールの洗浄作業を軽減することができる。しかしながら、この技術をオフセット印刷に適用したとしても、ブランケットの洗浄作業を軽減することができるものの、ウェブに粉塵等の異物が存在した場合に生じてしまうヒッキーの発生を防止することはできなかった。
【０００７】
本発明はこのような状況に鑑みてなされたものであり、印刷物の品質を向上させることができると共にブランケットの洗浄作業を軽減することができる粉塵除去装置を提供することを目的とする。
【課題を解決するための手段】
【０００８】
本発明に係る粉塵除去装置は、複数本のガイドロールにより搬送されるウェブから粉塵を除去する粉塵除去装置において、任意の隣接する２本のガイドロール間で、走行するウェブに対しパルス化された圧縮空気を噴射してこのガイドロール間でウェブを振動させることによりウェブから粉塵を該ウェブ表面に浮き上がらせるウェブ振動手段と、前記２本のガイドロールよりも下流側に位置するガイドロール群のうちの少なくとも１つのガイドロールで前記ウェブと当該ガイドロールとが当接する当接箇所に向けて圧縮空気を噴射することにより、前記ウェブ振動手段によりウェブ表面に浮き上がらせた粉塵をウェブから分離する圧縮空気噴射手段と、この圧縮空気噴射手段によりウェブから分離された粉塵を吸引する粉塵吸引手段と、を備えたことを特徴とする。
【０００９】
本発明によれば、ウェブ自体に圧縮空気を噴射して粉塵を分離しその粉塵を粉塵吸引手段で吸引することにより、粉塵の発生源であるウェブからその粉塵を除去する構成とされていることから、ウェブから粉塵を除去すると共にブランケットへの粉塵の付着を防止することができるので、パイリング及びヒッキーの発生を防止することができる。したがって、印刷の品質を向上させながら、ブランケットの洗浄作業の軽減を図ることができる。また、この結果、産業廃棄物も減少する。
【００１０】
また、ウェブ自体を振動させて粉塵をウェブ表面に浮き上がらせるので、圧縮空気の噴射のみによっては除去しきれない粉塵をも除去することができる。また、ウェブ自体をガイドロール間で振動させることにより、このガイドロール間の全領域のウェブに波動を確実に伝達させることができるので、一部分において処理が施されない非処理領域が発生するといった事態を発生させることもなく、ウェブに付着した粉塵をウェブ表面に確実に浮き上がらせることができる。また、パルス化した圧縮空気をウェブに噴射することによってウェブを振動させることから、ウェブの強度やウェブの走行速度等の条件に適した振幅状態で、ウェブを振動させることができる。
【００１１】
また、ウェブがガイドロールに当接する当接箇所に向けて圧縮空気を噴射することから、ウェブ表面の空気層を破壊することができるので、ウェブを振動させてウェブから浮き上がらせた粉塵をさらに分離させることができる。すなわち、走行するウェブ上には境界層が形成されているため、ウェブの振動により浮き上がらせた粉塵はウェブ上にのった状態にあるが、ガイドロール面上（ガイドロールとウェブとの当接箇所）への圧縮空気の噴射によりウェブ表面の空気層（境界層を含む）を破壊することができるので、その粉塵をウェブから完全に分離させることができる。これにより、その粉塵収集効率を格段に向上させることができる。
【００１２】
また、この粉塵除去装置の構成要素である、ウェブ振動手段、圧縮空気噴射手段、及び粉塵吸引手段のいずれもウェブに対して非接触であり、ウェブとこれら手段との間に摩擦が生じないことから、この粉塵除去装置による粉塵の発生はない。すなわち、粉塵の交換といった事態（大きな粉塵が除去するかわりに微小な粉塵が形成されてしまうといった事態）も生じさせず、確実に粉塵を除去することができる。
【００１３】
また、上記の粉塵除去装置において、前記圧縮空気噴射手段からの圧縮空気の噴射を受けるガイドロールより上流側に位置するガイドロール群のうちのウェブ表面に当接する少なくとも１つのガイドロールが接地されたことを特徴としてもよい。
【００１４】
この構成によれば、ウェブ表面に当接するガイドロールが接地されることから、このガイドロールを介してウェブ表面の電荷を除去することができるので、ウェブ表面からの粉塵の分離を促進することができる。これにより、粉塵の収集効率を向上させることができる。
【００１５】
また、上記の粉塵除去装置において、前記圧縮空気噴射手段と前記粉塵吸引手段との間に、前記ウェブ表面の空気層を乱流化する乱流化手段を設けたことを特徴としてもよい。
【００１６】
この構成によれば、ウェブ表面の空気層を乱流化してその空気層を破壊又は消滅することができることから、圧縮空気噴射手段からの圧縮空気をウェブ表面に到達させて、ウェブ上にある粉塵を境界層上空にまで巻き上げることができるので、これによって、粉塵の収集効率をさらに向上させることができる。
【００１７】
また、上記の粉塵除去装置において、ウェブとウェブの継ぎ目の走行位置を検出し該継ぎ目が前記ウェブ振動手段の圧縮空気の噴射を受ける位置に到達してから前記粉塵吸引手段の圧縮空気の吸引位置を通過するまでの間、前記ウェブ振動手段及び前記圧縮空気噴射手段の各圧縮空気の噴射を停止させるように前記ウェブ振動手段及び前記圧縮空気噴射手段を制御する噴射制御手段を備えたことを特徴としてもよい。
【００１８】
この構成によれば、継ぎ目には圧縮空気が噴射されないことから、圧縮空気によって継ぎ目が捲れあがって継ぎ目が破損するといった事態の発生を防止することができる。
【００１９】
また、上記の粉塵除去装置において、前記噴射制御手段は、前記継ぎ目が前記ウェブ振動手段の圧縮空気の噴射を受ける位置に近づいたことを検出したときから前記ウェブ振動手段及び前記圧縮空気噴射手段の各圧縮空気の噴射圧の減圧を開始し、前記継ぎ目が前記粉塵吸引手段の吸引位置を通過したことを検出したときから徐々に前記ウェブ振動手段及び前記圧縮空気噴射手段の圧縮空気の噴射圧を回復させるように、前記ウェブ振動手段及び前記圧縮空気噴射手段を制御することを特徴としてもよい。
【００２０】
この構成によれば、ウェブ振動手段及び圧縮空気噴射手段による圧縮空気の噴射の停止は、継ぎ目が前記ウェブ振動手段の圧縮空気の噴射を受ける位置に到達したときに同時に行うのではなく、継ぎ目がウェブ振動手段の圧縮空気の噴射を受ける位置に近づいたことを検出したときから開始し、また、ウェブ振動手段及び圧縮空気噴射手段による圧縮空気の噴射の回復は、継ぎ目が粉塵吸引手段の吸引位置を通過したことを検出したときから徐々にウェブ振動手段及び圧縮空気噴射手段の圧縮空気の噴射圧を回復させることから、ウェブに圧縮空気の噴射圧の急激な変化を与えることはないので、これら動作の停止及び回復によって生じるウェブの皺、亀裂等の発生を抑制することができる。すなわち、ウェブに継ぎ目があっても、ウェブの使用不可領域を最小限度に抑制することができる。
【発明の効果】
【００２１】
本発明によれば、ウェブから粉塵を除去すると共にブランケットへの粉塵の付着を防止することができるので、パイリング及びヒッキーの発生を防止することができる。したがって、印刷の品質を向上させながら、ブランケットの洗浄作業の軽減を図ることができる。また、この結果、産業廃棄物も減少する。
【発明を実施するための最良の形態】
【００２２】
以下、本発明の実施の形態を図面に基づいて説明する。
【００２３】
図１は、本発明の実施の形態に係る粉塵除去装置の斜視図である。図２は、本発明の実施の形態に係る粉塵除去装置のウェブ振動手段の部分省略斜視図である。図３は、本発明の実施の形態に係る粉塵除去装置の構成図である。図４は、本発明の実施の形態に係る粉塵除去装置のガイドロール、圧縮空気噴射手段、及び粉塵吸引手段の配置を説明した説明図である。図５は、本発明の実施の形態に係る粉塵除去装置の圧縮空気噴射手段のリンク機構を説明した分解斜視図である。図６は、本発明の実施の形態に係る粉塵除去装置のガイドロールの接地を説明した概略斜視図である。図７は、本発明の実施の形態に係る粉塵除去装置の粉塵吸引手段の断面図である。
【００２４】
本発明の実施の形態に係る粉塵除去装置１は、ガイドロール６により搬送されるウェブ８の粉塵を除去するものであり、振動手段２と、圧縮空気噴射手段３と、粉塵吸引手段４と、を備えたものである。
【００２５】
ウェブ振動手段２は、圧縮空気をウェブ８に噴射することによりウェブ８を振動させるものである。具体的には、任意の隣接する２本のガイドロール間６，６で走行するウェブ８にパルス化された圧縮空気を噴射することにより、そのガイドロール間６，６でウェブ８を縦（ウェブ８の表面に対して垂直な方向）に振動させる。そして、この振動により、ウェブ８に付着した紙粉等の粉塵をウェブ８の表面から浮き上がらせる。
【００２６】
ウェブ振動手段２は、図２に示すように、１２個の圧縮空気噴射装置２４，２４・・により構成されており、各圧縮空気噴射装置２４は略等間隔に一直線状に配置されている。そして、ウェブ振動手段２は、ウェブ８の幅方向全域にわたって圧縮空気が噴射されるように、各圧縮空気噴射装置２４がウェブ８に横断するように配置されている。
【００２７】
圧縮空気噴射装置２４は、圧縮空気を保持する保持空間を備えた本体部（図示省略）と、圧縮空気を噴射する噴射ノズル２１と、本体部の内部から噴射ノズル２１のノズル穴を開閉する電磁弁（図示省略）と、を備えている。
【００２８】
圧縮空気は、外部に設けられたコンプレッサにより空気が圧縮され、空気供給管２２を介して圧縮空気噴射装置２４に供給される。電磁弁は、コントローラによりその開閉が制御されており、その開閉によって、圧縮空気が所定の間隔で断続的に噴射されるように制御される。圧縮空気の断続化のパターン（以下、断続化をパスル化ともいう。）は、ウェブ８の寸法、材質、ウェブ８の走行速度等を考慮して定められるウェブ８の所定の振幅を実現できるように、調整される。例えば、ウェブ８の振動による皺等の発生を考慮しなくてよい場合は、ガイドロール間６，６で共振が生じる状態（ウェブ８の縦振動が大きくなる状態）のパルスパターンが選択される。ウェブ８の皺の発生、破損防止等を考慮する場合は、ウェブ８の共振の発生を避けたパルスパターンが選択される。
【００２９】
このような構成によれば、ウェブ８自体を振動させることができるので、ウェブ８自体に付着した粉塵をウェブ８の表面から浮き上がらせることができる。また、ウェブ８に付着した粉塵を接着によって除去するクリーニングローラのようにウェブ８との物理的な接触によって粉塵を除去するのではなく、ウェブ８と接触しないでパルス化した圧縮空気によりウェブ８を振動させて粉塵を除去することから、粉塵の除去処理の際に摩擦が生じず、摩擦に起因する粉塵が発生することもないので、高速に走行するウェブ８に対しても適用することができる。
【００３０】
圧縮空気噴射手段３は、圧縮空気の噴射圧によりウェブ８の表面の空気層を破壊し、ウェブ振動手段２によりウェブ８の表面に浮き上がらせた粉塵をウェブから分離するものである。また、圧縮空気噴射手段３はウェブ８の表面に付着した粉塵を分離するものでもある。
【００３１】
圧縮空気噴射手段３の構造は、ウェブ振動手段２の構造と同様であり、１２個の圧縮空気噴射装置２４により構成されており、各圧縮空気噴射装置２４は略等間隔に一直線状に配置されたものである。また、電磁弁はコントローラによりその開閉が制御され、圧縮空気がパルス化される。なお、圧縮空気噴射手段３のパルスパターンは、ウェブ８の表面に付着した粉塵を効率的に分離しうるように調整される。
【００３２】
また、圧縮空気噴射手段３は、図３及び４に示すように、ウェブ振動手段２よりもウェブ８の下流側で、ガイドロール６とウェブ８とが当接する当接面（当接箇所）に対して横方向（当接箇所の接線方向）から圧縮空気が噴射されるように配置される。具体的には、ウェブ振動手段２が、任意の一のガイドロール６とこれに隣接した次のガイドロール６との間に配置された場合は、このガイドロール（一のガイドロール６に隣接した次のガイドロール）６若しくはこのガイドロール６よりも下流に配置されたガイドロール６において、そのガイドロール６とウェブ８とが当接する当接面に対して横方向から圧縮空気が噴射されるように、噴射ノズル２１の方向が設定される。また、圧縮空気が最も効率的にウェブ８に当たるように、ウェブ８とガイドロール６との当接面のうちその中間部（ガイドロール６に巻きつけられたウェブ８のなす角度の全範囲においてそのなす角度θが１／２となる部分、すなわち、ウェブ８の走行経路の最も外側にあたる箇所）６５に向けて圧縮空気が噴射される。また、その中間部６５においてウェブ８の幅方向全域にわたって均等に圧縮空気が当たるように、その中間部６５から適宜の距離Ｄ１を隔てて噴射ノズル２１が配置される。なお、この中間部６５と噴射ノズル２１との間隔は、噴射ノズル２１の噴射速度、噴射角度、噴射ノズル同士２１，２１の間隔等の条件により適宜調整される。
【００３３】
また、圧縮空気噴射手段３は、その噴射方向角度及びウェブ８と噴射ノズル２１との距離を調整して粉塵のウェブ８からの分離の効果が最もあらわれる位置に配置され得るように、リンク機構を介して周囲の壁等に固定されている（図５参照）。リンク機構は、圧縮空気噴射手段３の両端を支持する２つの支持部３２，３２を備えており、各支持部３２は、２つの枢軸固定部材（以下、第１枢軸固定部材３３、第２枢軸固定部材３４という。）により構成されている。
【００３４】
第１枢軸固定部材３３は、圧縮空気噴射手段３の端部に設けられた枢軸３５に回動自在に嵌合する嵌合部３６と、第２枢軸固定部材３４と連結する連結部３７を備えている。第２枢軸固定部材３４は、建物の壁等に固定される固定部材４５に設けられた枢軸４６に回動自在に嵌合する嵌合部４７と、第１枢軸固定部材３３と連結する連結部４８を備えている。これらの連結部３７，４８には、第１枢軸固定部材３３の嵌合部３６と第２枢軸固定部材３４の嵌合部４７との距離が調整されうるように、その方向（距離が伸縮される方向）に沿った長孔の貫通孔４９が設けられ、この貫通孔４９にボルトを挿通させて第１枢軸固定部材３３の連結部３７と第２枢軸固定部材３４の連結部４８とが相互に係合される構造とされている。
【００３５】
このようなリンク機構の構造により、圧縮空気噴射手段３は、ウェブ８に対する噴射角度、ウェブ８と噴射ノズル２１との間隔を容易に調整することができる構成とされている。
【００３６】
粉塵吸引手段４は、ウェブ８から分離された粉塵を吸引するものであり、吸引ノズル４１と吸引装置（図示省略）とを備えている。
【００３７】
粉塵吸引手段４は、圧縮空気噴射手段３によってウェブ８から分離された粉塵が、最も効率的に吸引できる位置に配置される。具体的には、図３及び４に示すように、圧縮空気噴射手段３が配置された位置より下流側に配置され、この圧縮空気噴射手段３により圧縮空気が噴射されるウェブ８の当接面の中間部６５に対して略垂直な方向で粉塵を吸引しうるように配置されている。また、粉塵吸引手段４の吸引ノズル４１の開口部４２は、ウェブ８の当接面の中間部６５から１〜２ｍｍの間隔Ｄ２を隔てて配置されている。つまり、粉塵吸引手段４は、ウェブ８の当接面の横方向から噴射される圧縮空気でウェブ８表面の空気層（走行するウェブ８上に形成される境界層を含む空気層）が破壊されることにより巻き上げられる粉塵を吸引ノズル４１から吸引するように、配置されている。
【００３８】
また、圧縮空気噴射手段３と粉塵吸引手段４との間には、ウェブ８の表面の空気層を乱流化させるための乱流化手段５が配置されている。
【００３９】
具体的には、粉塵吸引手段４の開口部４２には、乱流化手段５としての凹部が設けられている。凹部は、どのような形状であってもよく、例えば、断面視で半円、Ｖ字状等が採用される。凹部は、圧縮空気噴射手段３と粉塵吸引手段４との間に配置され、凹部の開口部がウェブ８側に向けられる。この凹部により、ウェブ８の表面に乱流を生じさせることができる。
【００４０】
また、凹部としては、図７に示すような形状、すなわち、奥へＶ字状に窄まった形状を採用することが好ましい。このような形状により、効果的に乱流を生じさせることができる。
【００４１】
すなわち、このような乱流化手段５により、ウェブ８の表面の空気層（境界層を含む）を乱流化してその空気層を破壊又は消滅させることができるので、圧縮空気噴射手段３からの圧縮空気をウェブ８の表面に到達させて、ウェブ８上にある粉塵を境界層の上空にまで巻き上げることができ、これによって、粉塵の収集効率をさらに向上させることができる。
【００４２】
また、図３に示すように、圧縮空気噴射手段３からの圧縮空気の噴射を受けるガイドロールより上流側に位置するガイドロール６群のうち、ウェブ８表面に当接するガイドロール６が接地される。
【００４３】
このような接地によれば、このガイドロール６を介してウェブ８表面の電荷を除去することができるので、ウェブ８表面からの粉塵の分離を促進することができる。これにより、粉塵の収集効率を向上させることができる。
【００４４】
また、ガイドロール６の接地はその枢軸６１が直接接地されることにより行われる。具体的には、図６に示すように、アース線６３ａにより接地された銅メッキ棒６３がガイドロール６の枢軸６１の表面に当接され、ガイドロール６の枢軸６１の接地が行われる。これにより、ガイドロール６の電位が実質的に０となる。
【００４５】
従来、ガイドロール６はベアリング６２を介して建物の壁などに固定されることから、ガイドロール６の接地は建物の壁に当接する部分で行われていた。しかし、このような接地の場合、ガイドロール６の枢軸６１とベアリング６２と摺接面の間に潤滑油が介在しているためガイドロール６の電位が０にはなっていなかった。そのため、その僅かなガイドロール６の電位のため粉塵がガイドロール６の方向に引き寄せられ、ウェブ８から粉塵が分離されず、粉塵吸引効率が高くならないといった問題があった。一方、上記の手段によれば、ガイドロール６は、ガイドロール６が建物の壁に当接する部分（すなわち、地面に連続した壁とガイドロール６との当接部分）において接地されるのではなく、ガイドロール６の枢軸６１が直接接地されることから、ガイドロール６の電位を０に近づけることができるので、静電気による粉塵のガイドロール６側への付着を防止し、粉塵のウェブ８表面からの分離を促進することができる。これにより、粉塵の収集効率を向上させることができる。なお、ガイドロール６の接地は、ガイドロール６の本体にアース線６３ａを当接させることにより行ってもよい。
【００４６】
以上の粉塵除去装置１によれば、ウェブ８自体に圧縮空気を噴射して粉塵を分離しその粉塵を粉塵吸引手段４で吸引することにより、粉塵の発生源であるウェブ８からその粉塵を除去する構成とされていることから、ウェブ８から粉塵を除去すると共にブランケットへの粉塵の付着を防止することができるので、パイリング及びヒッキーの発生を防止することができる。したがって、印刷の品質を向上させながら、ブランケットの洗浄作業の軽減を図ることができる。また、この結果、産業廃棄物も減少する。
【００４７】
また、ウェブ８自体を振動させて粉塵をウェブ８の表面に浮き上がらせるので、圧縮空気の噴射のみによっては除去しきれない粉塵をも除去することができる。また、ウェブ８自体をガイドロール間６，６で振動させることにより、このガイドロール間６，６の全領域のウェブ８に波動を確実に伝達させることができるので、一部分において処理が施されない非処理領域が発生するといった事態を発生させることもなく、ウェブ８に付着した粉塵をウェブ８の表面に確実に浮き上がらせることができる。また、パルス化した圧縮空気をウェブ８に噴射することによってウェブ８を振動させることから、ウェブ８の強度やウェブ８の走行速度等の条件に適した振幅状態でウェブ８を振動させることができる。
【００４８】
また、ウェブ８がガイドロール６に当接する当接箇所６４に向けて圧縮空気を噴射することから、ウェブ８の表面の空気層を破壊することができるので、ウェブ８を振動させてウェブ８から浮き上がらせた粉塵をさらに分離させることができる。すなわち、走行するウェブ８上には境界層が形成されているため、ウェブ８の振動により浮き上がらせた粉塵はウェブ８上にのった状態にあるが、ガイドロール６面上（ガイドロール６とウェブ８との当接箇所６４）への圧縮空気の噴射によりウェブ８の表面の空気層（境界層を含む）を破壊することができるので、その粉塵をウェブ８から完全に分離させることができる。これにより、その粉塵収集効率を格段に向上させることができる。
【００４９】
また、この粉塵除去装置１の構成要素である、ウェブ振動手段２、圧縮空気噴射手段３、及び粉塵吸引手段４のいずれもウェブ８に対して非接触であり、ウェブ８とこれら手段との間に摩擦が生じないことから、この粉塵除去装置１による粉塵の発生はない。すなわち、粉塵の交換といった事態（大きな粉塵が除去するかわりに微小な粉塵が形成されてしまうといった事態）も生じさせず、確実に粉塵を除去することができる。
【００５０】
次に、ウェブ８の継ぎ目が走行するときの粉塵除去装置１の制御について説明する。
【００５１】
新聞紙等、大部数の印刷では、１回の印刷作業で２本以上のウェブロールが消費される場合がある。この場合、印刷を間断なく実施するために、使用されて無くなりつつあるウェブロールに新たなウェブロールを自動的につなぐ作業（以下、ペースタともいう。）が行われる。
【００５２】
印刷作業の短縮化のためペースタが実行されてもウェブの走行は停止されず、継続してウェブ８を走行させるが、この継ぎ目に圧縮空気が噴射されると皺が拡散する等の問題が生じる。そのため、ウェブ８の継ぎ目が、ウェブ振動手段２の圧縮空気の噴射を受ける位置に到達してから粉塵吸引手段４の吸引位置を通過するまでの間、圧縮空気の噴射を停止（又は噴射を減圧）するように、ウェブ振動手段２及び圧縮空気噴射手段３が制御される。また、圧縮空気の噴射を急激に停止すると、ウェブ８に皺が広がるので、その停止は徐々に実行される。すなわち、圧縮空気の噴射圧が徐々に減圧されて停止される。このような圧縮空気の噴射の制御は、粉塵除去装置１に備えられた噴射制御手段により行われる。
【００５３】
以下、具体的に、ウェブ振動手段２、圧縮空気噴射手段３、及び粉塵吸引手段４の制御について説明する。
【００５４】
図８は、ウェブ振動手段の電磁弁の制御を示したフロー図である。
【００５５】
ウェブ振動手段２の電磁弁の制御は次のように行われる。
【００５６】
印刷が開始される前は、ウェブ振動手段２の電磁弁は待機状態に維持される（Ｓ１）。
【００５７】
ウェブ８が走行し始め、ウェブ振動手段２を動作させる制御開始条件が整ったとき（Ｓ２：ＹＥＳ）には、ウェブ振動手段２の電磁弁は、予め設定されたパターンで開閉動作を繰り返すように制御される。
【００５８】
印刷が進行し、ウェブロールがなくなりつつあるとき、ペースタが実行されるが、このペースタが実行される前に、ウェブロールの残量や走行する継ぎ目（ペースタにより形成されるウェブとウェブの継ぎ目）の検出等によりペースタ制御条件が成立しているか判断される。ペースタ制御とは、ペースタが実行される場合に実施される、ウェブ振動手段２、圧縮空気噴射手段３、及び粉塵吸引手段４の制御であり、また、ペースタ制御条件とは、ペースタ制御を実行する状態にあるかどうかを判断するための条件である。例えば、ペースタ制御条件は、ウェブロールの残量が所定量以下になったことの検出、継ぎ目（又はウェブ）がウェブ振動手段２の圧縮空気の噴射を受ける位置より手前に設定された所定位置を継ぎ目が通過したことの検出、継ぎ目が粉塵吸引手段４の吸引位置を通過したことの検出等であり、これらの検出によりペースタ制御条件の成立の可否が判断される。
【００５９】
ペースタ制御条件が成立していない場合（Ｓ４：ＮＯ）は、印刷が終了されるか否か確認される（Ｓ５）。印刷を終了する場合（Ｓ５：ＹＥＳ）は、ウェブ振動手段２は待機状態とされる。他方、印刷が終了されず引き続き印刷が行われる場合（Ｓ５：ＮＯ）は、ウェブ振動手段２は動作状態（予め設定されたパターンで開閉動作を繰り返す状態）とされる（Ｓ３）。
【００６０】
ペースタ制御条件が成立している場合は、ペースタ制御条件成立時における噴射圧の設定が確認される（Ｓ６）。ペースタ制御条件成立下での圧縮空気噴射手段３の噴射圧を減圧することとなっている場合（Ｓ６：減圧設定）は、電磁弁の設定は変更されずにそのまま動作するように制御される。
【００６１】
一方、ペースタ制御条件成立下での圧縮空気噴射手段３の噴射圧を停止することとなっている場合（Ｓ６：停止設定）は、全電磁弁がＯＦＦとされ、噴射ノズル２１が閉じられる（Ｓ７）。そして、所定時間経過後、ペースタ制御条件が成立しているか否か確認される（Ｓ８）。ペースタ制御条件が成立しているときは、電磁弁がＯＦＦのまま維持される（Ｓ８：ＮＯ）。ペースタ制御条件が成立しなくなったとき（Ｓ８：ＹＥＳ）は、印刷が終了されるか否か確認される（Ｓ５）。以降は、上記と同様の制御が行われる。
【００６２】
なお、圧縮空気噴射手段３の電磁弁の制御は、ウェブ振動手段２の電磁弁の制御と同様であるため、説明を省略する。
【００６３】
図９は、圧縮空気噴射手段の制御を示したフロー図である。
【００６４】
圧縮空気噴射手段３の噴射圧の制御は次のように行われる。
【００６５】
印刷が開始される前は、圧縮空気噴射手段３の噴射圧は待機設定圧で維持される（Ｓ２１）。
【００６６】
次に、ウェブ８が走行し始め、圧縮空気噴射手段３を動作させる制御開始条件が整ったとき（Ｓ２２：ＹＥＳ）には、噴射圧が徐々に増圧される（Ｓ２３）。そして、予め設定した設定圧に到達したか確認される（Ｓ２４）。噴射圧が設定圧に到達していないときは、更に増圧される（Ｓ２４：ＮＯ）。噴射圧が設定圧に到達したときは、その設定圧に維持される（Ｓ２５）。
【００６７】
印刷が進行し、ウェブロールがなくなりつつあるとき、ペースタが実行されるが、このペースタが実行される前に、ウェブロールの残量や走行する継ぎ目の検出等によりペースタ制御条件が成立しているか判断される。ペースタ制御条件が成立していない場合（Ｓ２６：ＮＯ）は、印刷が終了されるか否か確認される（Ｓ２７）。印刷を終了する場合（Ｓ２７：ＹＥＳ）は、圧縮空気噴射手段３は待機状態とされる（Ｓ２１）。他方、印刷が終了されず引き続き印刷が行われる場合（Ｓ２７：ＮＯ）は、圧縮空気噴射手段３は設定圧に維持される（Ｓ２５）。
【００６８】
ペースタ制御条件が成立している場合は、ペースタ制御条件成立時における噴射圧の設定が確認される（Ｓ２８）。噴射圧を減圧する設定となっている場合（Ｓ２８：減圧設定）は、ペースタ制御条件成立時に許容される噴射圧（例えば、継ぎ目を破損させず継ぎ目からの皺を拡張させない程度の噴射圧。以下、ペースタ圧ともいう。）にまで徐々に減圧される（Ｓ２９）。所定時間経過後、ペースタ制御条件が成立しているか否か確認される（Ｓ３０）。ペースタ制御条件が成立しているときは、噴射圧はペースタ圧で維持される（Ｓ３０：ＮＯ）。ペースタ制御条件が成立しなくなったとき（Ｓ３０：ＹＥＳ）は、噴射圧は設定圧まで徐々に増圧される（Ｓ３１）。さらに、予め設定した設定圧に到達したか確認される（Ｓ３２）。噴射圧が設定圧に到達していないときは、更に増圧される（Ｓ３２：ＮＯ）。噴射圧が設定圧に到達したときは、印刷を終了するか否か確認される（Ｓ２７）。以降は、上記と同様の制御が行われる。
【００６９】
一方、ペースタ制御条件が成立している場合であって噴射圧を停止する設定となっている場合（Ｓ２８：停止設定）は、噴射の減圧が開始され、徐々に減圧され、最終的には噴射が停止される（Ｓ３３）。そして、所定時間経過後、ペースタ制御条件が成立しているか否か確認される（Ｓ３４）。ペースタ制御条件が成立しているときは、噴射が停止状態で維持される（Ｓ３４：ＮＯ）。そして、ペースタ制御条件が成立しなくなったとき（Ｓ３４：ＹＥＳ）は、噴射圧は設定圧まで徐々に増圧される（Ｓ３５）。さらに、予め設定した設定圧に到達したか確認される（Ｓ３６）。噴射圧が設定圧に到達していないときは、更に増圧される（Ｓ３６：ＮＯ）。噴射圧が設定圧に到達したときは、印刷を終了するか否か確認される（Ｓ２７）。その後は、上記と同様の制御が行われる。
【００７０】
なお、ウェブ振動手段２の噴射圧の制御は、圧縮空気噴射手段３の噴射圧の制御と同様であるため、説明を省略する。
【００７１】
図１０は、粉塵吸引手段の制御を示したフロー図である。
【００７２】
粉塵吸引手段４の吸引装置の制御は次のように行われる。
【００７３】
印刷が開始される前は、粉塵吸引手段４の吸引装置の動作は待機状態に維持される（Ｓ４１）。
【００７４】
次に、ウェブ８が走行し始め、粉塵吸引手段４を動作させる制御開始条件が整ったとき（Ｓ４２：ＹＥＳ）には、粉塵吸引手段４の吸引装置の運転が開始される（Ｓ４３）。
【００７５】
印刷が進行し、ウェブロールがなくなりつつあるとき、ペースタが実行されるが、このペースタが実行される前に、ウェブロールの残量や走行する継ぎ目の検出等によりペースタ制御条件が成立しているか判断される。ペースタ制御条件が成立していない場合（Ｓ４４：ＮＯ）は、印刷を終了するか否か確認される（Ｓ４５）。印刷を終了しない場合は、そのまま運転される。
【００７６】
一方、印刷を終了する場合（Ｓ４５：ＹＥＳ）は、ウェブ８を切断する作業があるか確認される（Ｓ４６）。ウェブ８の切断作業がある場合は、粉塵吸引手段４は待機状態とされる（Ｓ４６：ＹＥＳ）。ウェブ８の切断作業がない場合は、吸引装置の停止条件が成立しているか確認される（Ｓ４７）。吸引装置の停止条件が成立していない場合は、所定時間経過後、再度、吸引装置の停止条件が成立しているか確認される（Ｓ４７：ＮＯ）。吸引装置の停止条件が成立している場合は、粉塵吸引手段４は待機状態とされる（Ｓ４７：ＹＥＳ）。
【００７７】
ペースタ制御条件が成立している場合は、ペースタ制御条件成立時における吸引装置の動作設定が確認される（Ｓ４８）。具体的には、ペースタ制御条件成立時において吸引装置を動作させるか停止させるかの選択設定が確認される。ペースタ制御条件成立時において吸引装置の動作設定として停止を選択されていない場合（Ｓ４８:ＮＯ）は、吸引装置はそのまま運転される。
【００７８】
一方、ペースタ制御条件成立時において吸引装置の動作設定として停止が選択されている場合（Ｓ４８：ＹＥＳ）は、吸引装置の運転が停止される（Ｓ４９）。そして、所定時間経過後、ペースタ制御条件が満たされているか否か確認される（Ｓ５０）。ペースタ制御条件が成立しているときは、吸引装置の運転は停止のまま維持される（Ｓ５０：ＮＯ）。そして、ペースタ制御条件が成立しなくなったとき（Ｓ５０：ＹＥＳ）は、吸引装置の運転が再開される（Ｓ５１）。さらに所定時間経過後、印刷が終了されるか否か確認される（Ｓ４５）。その以降は、上記と同様の制御が行われる。
【００７９】
なお、上記に示したウェブ振動手段２、圧縮空気噴射手段３、及び粉塵吸引手段４の制御は、ペースタ実行により形成される継ぎ目があるウェブにだけ適用されるのではなく、当初から継ぎ目が存在するウェブにも適用されうる。
【００８０】
以上の粉塵除去装置１の制御によれば、継ぎ目には圧縮空気が噴射されず、或いは圧縮空気が噴射されるにしてもその継ぎ目には当該部分が破損されず皺が拡張しない程度の圧縮空気しか噴射されないことから、圧縮空気によって継ぎ目が捲れあがって継ぎ目が破損したり、その部分から皺が拡張してしまい廃棄部分が増大したりするといった事態の発生を防止することができる。
【００８１】
また、ウェブ振動手段２及び圧縮空気噴射手段３による圧縮空気の噴射の停止は、継ぎ目がウェブ振動手段２の圧縮空気の噴射を受ける位置に到達したときと同時に行うのではなく継ぎ目がウェブ振動手段２の圧縮空気の噴射を受ける位置に近づいたことを検出したときから開始し、また、ウェブ振動手段２及び圧縮空気噴射手段３による圧縮空気の噴射の回復は、継ぎ目が粉塵吸引手段４の吸引位置を通過したことを検出したときから徐々にウェブ振動手段２及び圧縮空気噴射手段３の圧縮空気の噴射圧を回復させることから、ウェブ８に圧縮空気の噴射圧の急激な変化を与えることはないので、これら動作の停止及び回復によって生じるウェブ８の皺、亀裂等の発生を抑制することができる。すなわち、ウェブ８に継ぎ目があっても、ウェブ８の使用不可領域（廃棄部分）を最小限度に抑制することができる。この結果、産業廃棄物を削減できる。
【図面の簡単な説明】
【００８２】
【図１】本発明の実施の形態に係る粉塵除去装置の斜視図である。
【図２】本発明の実施の形態に係る粉塵除去装置のウェブ振動手段の部分省略斜視図である。
【図３】本発明の実施の形態に係る粉塵除去装置の構成図である。
【図４】本発明の実施の形態に係る粉塵除去装置のガイドロール、圧縮空気噴射手段、及び粉塵吸引手段の配置を説明した説明図である。
【図５】本発明の実施の形態に係る粉塵除去装置の圧縮空気噴射手段のリンク機構を説明した分解斜視図である。
【図６】本発明の実施の形態に係る粉塵除去装置のガイドロールの接地を説明した概略斜視図である。
【図７】本発明の実施の形態に係る粉塵除去装置の粉塵吸引手段の断面図である。
【図８】ウェブ振動手段の電磁弁の制御を示したフロー図である。
【図９】圧縮空気噴射手段の制御を示したフロー図である。
【図１０】粉塵吸引手段の制御を示したフロー図である。
【符号の説明】
【００８３】
１            粉塵除去装置
２            ウェブ振動手段
３            圧縮空気噴射手段
４            粉塵吸引手段
５            乱流化手段
６            ガイドロール
８            ウェブ
【図１】
0004658113.tif 000002
【図２】
0004658113.tif 000003
【図３】
0004658113.tif 000004
【図４】
0004658113.tif 000005
【図５】
0004658113.tif 000006
【図６】
0004658113.tif 000007
【図７】
0004658113.tif 000008
【図８】
0004658113.tif 000009
【図９】
0004658113.tif 000010
【図１０】
0004658113.tif 000011